(57)【要約】【課題】既存のハイライト再生は、その箇所が面白い、悲しいなどの情報特定ができないという課題がある。またインターネットの掲示板等に提供される番組へのコメントや関連情報を再生箇所と同期して参照することができない課題がある。【解決手段】視聴端末装置（音声・映像記録再生装置）Ｅ２とネットワーク４０に接続されたサーバ装置Ｅ３を構成して、視聴端末装置Ｅ２からの視聴情報や番組に対するコメント情報をサーバ装置Ｅ３へ集めて解析することにより、番組に対するユーザの注目度の高い番組箇所を特定してどのような状況かを表す視聴統計情報を作成する。コメントから番組に対する意見や疑問点を把握して番組の補完情報を作成する。視聴端末装置Ｅ２は番組再生時にサーバ装置Ｅ３から上記の情報を受信することにより、注目度点へ移動したりコメントを表示することが可能になる。【選択図】図１
2010206447.tif 000002
【特許請求の範囲】
【請求項１】
放送番組を受信する放送受信部と、
前記放送受信部による受信番組を表示する表示部と、
番組視聴にかかわる視聴情報やコメント情報を取り込む入力処理部と、
ネットワークに接続されるクライアント側のネットワーク部と、
前記ネットワーク部と前記表示部との間に介在された表示動作決定部とからなり、
前記ネットワーク部は、前記入力処理部からの視聴情報やコメント情報をネットワークへ送信するとともに、ネットワークを介して受信した視聴統計情報を前記表示動作決定部へ転送するように構成され、
前記表示動作決定部は、放送視聴時に視聴統計情報の送信要求を前記ネットワーク部へ発行するとともに、前記ネットワーク部から転送されてくる視聴統計情報を前記表示部へ転送するように構成されている視聴端末装置。
【請求項２】
さらに、
前記放送受信部による受信番組を記録する記録部と、
前記記録部に記録されている番組を再生する再生制御部とを備え、
前記ネットワーク部は、さらに前記入力処理部からの録画番組にかかわる操作情報をネットワークへ送信するように構成されている請求項１に記載の視聴端末装置。
【請求項３】
ネットワークに接続されるサーバ側のネットワーク部と、
解析部と、
前記解析部による視聴統計情報を蓄積する蓄積部とからなり、
前記ネットワーク部は、ネットワークを介して送信されてくる視聴情報やコメント情報を受信し、前記解析部に転送するとともに、前記解析部から送られてくる視聴統計情報をネットワークへ送信するように構成され、
前記解析部は、前記ネットワーク部から転送されてくる視聴情報やコメント情報を解析して視聴統計情報を生成して前記蓄積部へ転送するとともに、ネットワークを介しての前記視聴端末装置からの視聴統計情報の送信要求に対して前記蓄積部から対応する視聴統計情報を読み出し前記ネットワーク部に出力するように構成されているサーバ装置。
【請求項４】
前記解析部は、前記ネットワーク部から転送されてくる録画番組にかかわる操作情報も解析して視聴統計情報を生成して前記蓄積部へ転送するように構成されている請求項３に記載のサーバ装置。
【請求項５】
前記視聴情報は、日時、チャンネル番号、放送地域、電子番組表から得られる番組ＩＤを含んでいる請求項１から請求項４までのいずれかに記載の装置。
【請求項６】
前記視聴情報は、視聴中の番組情報に関して日時、変更前チャンネル番号、変更後チャンネル番号、放送地域、電子番組表から得られる番組ＩＤを含んでいる請求項１から請求項４までのいずれかに記載の装置。
【請求項７】
前記操作情報は、特殊再生が行われたときの特殊再生内容、番組中での特殊再生区間を含んでいる請求項２または請求項４に記載の装置。
【請求項８】
前記操作情報は、番組消去が行われたときの未再生区間情報を含んでいる請求項２または請求項４に記載の装置。
【請求項９】
前記操作情報は、部分削除が行われたときの削除区間情報を含んでいる請求項２または請求項４に記載の装置。
【請求項１０】
前記操作情報は、番組削除を禁止する番組プロテクトが行われたときの情報を含んでいる請求項２または請求項４に記載の装置。
【請求項１１】
前記操作情報は、プレイリスト点が登録されたときの番組の該当箇所を含んでいる請求項２または請求項４に記載の装置。
【請求項１２】
前記操作情報は、ダビングする操作を含んでいる請求項２または請求項４に記載の装置。
【請求項１３】
前記操作情報は、番組予約録画である請求項２または請求項４に記載の装置。
【請求項１４】
前記コメント情報は、視聴番組情報、ユーザから発信されるコメントと該当時間情報とから構成されている請求項１または請求項３に記載の装置。
【請求項１５】
前記コメント情報は、録画番組情報、ユーザから発信されるコメントと該当時間情報とから構成されている請求項２または請求項４に記載の装置。
【請求項１６】
前記視聴統計情報は、チャンネル毎の視聴率、視聴率変化、予約録画率を含んでいる請求項１から請求項１５までのいずれかに記載の装置。
【請求項１７】
前記視聴統計情報に基づいて特定箇所へ再生スキップする請求項２または請求項４に記載の装置。
【請求項１８】
前記視聴統計情報に基づいて該当区間を再生したときにコメント表示する請求項２または請求項４に記載の装置。
【請求項１９】
前記視聴統計情報は、前記コメント情報を基にして作成されるコメントに対する回答や番組理解補助のための番組補完情報を含んでいる請求項１から請求項１８までのいずれかに記載の装置。
【請求項２０】
請求項１または請求項２に記載の視聴端末装置と請求項３または請求項４に記載のサーバ装置との組み合わせからなる参加型番組共有システム。
【請求項２１】
さらに請求項５から請求項１９までのいずれかに記載の事項が適用される請求項２０に記載の参加型番組共有システム。
【発明の詳細な説明】
【技術分野】
【０００１】
本発明は、放送の受信・ネットワーク機能を持つ視聴端末装置（音声・映像出力装置や音声・映像記録再生装置）と、ネットワークを介して視聴端末装置に接続されるサーバ装置および参加型番組共有システムにかかわり、特には、番組に対する面白いとか悲しいなどの視聴者感情を取り入れた豊かで高度な視聴環境を実現するための技術に関する。
【背景技術】
【０００２】
従来から、テレビやケーブルテレビ（ＣＡＴＶ）等の番組（コマーシャルを含む）の番組視聴履歴を放送番組の視聴時に収集するシステムや、ビデオ装置に録画した番組の視聴時に収集するシステムが開示されている。このシステムにおいては、放送中の番組を視聴したり録画した番組を視聴することによって、番組視聴率を得ることが可能である（例えば、特許文献１参照）。
【０００３】
また、番組内の各シーンについてのコメント情報の作成・送信を支援するシステムが開示されている（特許文献２参照）。
【特許文献１】特開２００２−３０５７６０号公報
【特許文献２】特開２００３−３３９００６号公報
【発明の開示】
【発明が解決しようとする課題】
【０００４】
従来の技術におけるハイライト再生の機能では、どのシーンが面白いとか悲しいなどの視聴者感情を取り入れた豊かな視聴環境は実現できないという課題がある。
【０００５】
データ放送の番組で予想外の展開があった場合に、ユーザがその予想外の展開に関してコメントを作成し送信することは困難である。現状のデータ放送は放送業者からの観点で作成されている。したがって、ユーザの疑問・興味・関心が放送業者のそれと異なっていても、再提供・更新されることはない。これらの情報はインターネットの掲示板等において提供されることがあるが、それにアクセスすることは番組開始直後からは無理であった。
【課題を解決するための手段】
【０００６】
（１）本発明による参加型番組共有システム用の視聴端末装置は、
放送番組を受信する放送受信部と、
前記放送受信部による受信番組を表示する表示部と、
番組視聴にかかわる視聴情報やコメント情報を取り込む入力処理部と、
ネットワークに接続されるクライアント側のネットワーク部と、
前記ネットワーク部と前記表示部との間に介在された表示動作決定部とからなり、
前記ネットワーク部は、前記入力処理部からの視聴情報やコメント情報をネットワークへ送信するとともに、ネットワークを介して受信した視聴統計情報を前記表示動作決定部へ転送するように構成され、
前記表示動作決定部は、放送視聴時に視聴統計情報の送信要求を前記ネットワーク部へ発行するとともに、前記ネットワーク部から転送されてくる視聴統計情報を前記表示部へ転送するように構成されている。この視聴端末装置は、原則的には録画再生機能をもたないものであり、音声・映像出力装置と称してもよい。
【０００７】
（２）上記（１）の構成の視聴端末装置において、さらに、
前記放送受信部による受信番組を記録する記録部と、
前記記録部に記録されている番組を再生する再生制御部とを備え、
前記ネットワーク部は、さらに前記入力処理部からの録画番組にかかわる操作情報をネットワークへ送信するように構成された視聴端末装置もある。この録画再生機能を有する視聴端末装置は、音声・映像記録再生装置と称してもよい。
【０００８】
（３）本発明による参加型番組共有システム用のサーバ装置は、
ネットワークに接続されるサーバ側のネットワーク部と、
解析部と、
前記解析部による視聴統計情報を蓄積する蓄積部とからなり、
前記ネットワーク部は、ネットワークを介して送信されてくる視聴情報やコメント情報を受信し、前記解析部に転送するとともに、前記解析部から送られてくる視聴統計情報をネットワークへ送信するように構成され、
前記解析部は、前記ネットワーク部から転送されてくる視聴情報やコメント情報を解析して視聴統計情報を生成して前記蓄積部へ転送するとともに、ネットワークを介しての前記視聴端末装置からの視聴統計情報の送信要求に対して前記蓄積部から対応する視聴統計情報を読み出し前記ネットワーク部に出力するように構成されている。このサーバ装置は、上記（１）の録画再生機能を有しない視聴端末装置に対応するものである。
【０００９】
（４）上記（３）の構成のサーバ装置において、前記解析部は、前記ネットワーク部から転送されてくる録画番組にかかわる操作情報も解析して視聴統計情報を生成して前記蓄積部へ転送するように構成されたサーバ装置もある。このサーバ装置は、上記（２）の録画再生機能を有する視聴端末装置に対応するものである。
【００１０】
本発明による参加型番組共有システムは、上記構成の視聴端末装置とサーバ装置との組み合わせからなるものである。視聴端末装置とサーバ装置とはネットワークに接続されるようになっている。
【００１１】
ここで、録画再生機能を有しない上記（１）の視聴端末装置と（３）のサーバ装置の組み合わせからなる参加型番組共有システムについて、その機能を説明する。
【００１２】
視聴端末装置において、放送視聴時に放送受信部で選局によって受信された番組は表示部に表示され、ユーザによって視聴される。番組視聴にかかわる視聴情報やコメント情報が入力処理部から取り込まれ、ネットワーク部（クライアント側）に送られる。視聴情報には、選局したチャンネル番号や番組ＩＤや視聴の時間帯などが含まれる。コメント情報には、どのシーンが面白いとか悲しいなどの視聴感情、ユーザの疑問・興味・関心などが含まれる。視聴情報やコメント情報は、個々のチャンネル番号について視聴率や視聴率履歴などの視聴統計情報や番組補完情報を生成するときの基礎となる情報である。番組視聴にかかわる視聴情報やコメント情報はネットワーク部（クライアント側）からネットワークに送り出される。この視聴情報やコメント情報はネットワークを介してサーバ装置に至り、サーバ側のネットワーク部に取り込まれ、解析部に送られる。解析部は、転送されてくる視聴情報やコメント情報を解析し、視聴統計情報を生成して前記蓄積部へ転送する。この視聴統計情報の生成に際しては、蓄積部から直前の視聴統計情報を読み出し、同一番組判定を行った上で視聴率や視聴率履歴やコメントなどを更新する。更新された視聴統計情報は蓄積部に蓄積される。サーバ装置には、ネットワークにつながっている多数の視聴端末装置からそれぞれの視聴情報やコメント情報が順次に送られてきて、その都度、解析部が生成した視聴統計情報が蓄積部に蓄積される。以上のように、サーバ装置は、視聴情報、コメント情報を集めて解析し、該当番組に対してのユーザの注目度の高い番組箇所を特定するとともに、その注目度の高い番組箇所がどのような状況になっているのか（ユーザの反応など）を示す視聴統計情報を作成する。
【００１３】
ある視聴端末装置において、放送視聴時に表示動作決定部から視聴統計情報の送信要求を発行すると、その視聴統計情報の送信要求はネットワーク部（クライアント側）からネットワークを介してサーバ装置へ送られる。そして、サーバ装置において、ネットワーク部（サーバ側）から視聴統計情報の送信要求を受け取った解析部は、蓄積部から視聴統計情報を読み出し、ネットワーク部（サーバ側）へ送出する。読み出された視聴統計情報は、ネットワークを介して視聴端末装置のネットワーク部（クライアント側）から取り込まれ、表示動作決定部に転送され、さらに表示部に送られて、表示部に視聴統計情報が表示される。ユーザは表示された視聴統計情報を参照して、視聴する番組を決定する。この決定により放送受信部の選局が調整される。そして、この選局調整されたときの視聴情報やコメント情報が前述同様にしてネットワークを介してサーバ装置へ送られる。
【００１４】
以上のように、どのシーンが面白いとか悲しいなどの視聴感情、ユーザの疑問・興味・関心などが含まれる視聴統計情報を視聴端末装置からサーバ装置に送ってサーバ装置で収集するとともに、視聴端末装置からの送信要求に応答して視聴統計情報をサーバ装置から視聴端末装置へ送り、視聴の参考にする。したがって、番組に対する視聴者感情を取り入れた、より豊かで高度な視聴環境を実現することが可能となる。
【００１５】
次に、録画再生機能を有する上記（２）の視聴端末装置と（４）のサーバ装置の組み合わせからなる参加型番組共有システムについて、その機能を説明する。
【００１６】
視聴端末装置での記録番組の再生において、サーバ装置から視聴統計情報を受信することで、注目度の高い番組箇所へ移動したり、コメントを表示することが可能である。視聴端末装置での再生において、録画番組にかかわる操作情報や視聴番組にかかわるコメントを再度サーバ装置へ送信することにより、サーバ装置では注目度の高い番組箇所のより精度の高い情報や番組補完情報を更新して提供することが可能になる。以上のように、ユーザ負担を増大させることなく、番組の注目度が測定可能となる。また特定シーンの疑問・意見を発信することにより、ハイライト箇所のより詳細な判定が可能になる。予想外の展開に対する意見交換が容易になるとともに、再生中にその意見がリアルタイムに表示され、番組共有の臨場感がもてるようになる。また、上記の意見が随時更新可能になり、繰り返し再生しても楽しめる。
【００１７】
ここで、上記構成の視聴端末装置、サーバ装置あるいは参加型番組共有システムにおいて、個々の技術用語について説明する。
【００１８】
前記視聴情報は、日時、チャンネル番号、放送地域、電子番組表から得られる番組ＩＤを含んでいるという態様がある。
【００１９】
また、前記視聴情報は、視聴中の番組情報に関して日時、変更前チャンネル番号、変更後チャンネル番号、放送地域、電子番組表から得られる番組ＩＤを含んでいるという態様がある。
【００２０】
また、前記操作情報は、特殊再生が行われたときの特殊再生内容、番組中での特殊再生区間を含んでいるという態様がある。
【００２１】
また、前記操作情報は、番組消去が行われたときの未再生区間情報を含んでいるという態様がある。
【００２２】
また、前記操作情報は、部分削除が行われたときの削除区間情報を含んでいるという態様がある。
【００２３】
また、前記操作情報は、番組削除を禁止する番組プロテクトが行われたときの情報を含んでいるという態様がある。
【００２４】
また、前記操作情報は、プレイリスト点が登録されたときの番組の該当箇所を含んでいるという態様がある。
【００２５】
また、前記操作情報は、ダビングする操作を含んでいるという態様がある。
【００２６】
また、前記操作情報は、番組予約録画であるという態様がある。
【００２７】
また、前記コメント情報は、視聴番組情報、ユーザから発信されるコメントと該当時間情報とから構成されているという態様がある。
【００２８】
また、前記コメント情報は、録画番組情報、ユーザから発信されるコメントと該当時間情報とから構成されているという態様がある。
【００２９】
また、前記視聴統計情報は、チャンネル毎の視聴率、視聴率変化、予約録画率を含んでいるという態様がある。
【００３０】
また、前記視聴統計情報に基づいて特定箇所へ再生スキップするという態様がある。
【００３１】
また、前記視聴統計情報に基づいて該当区間を再生したときにコメント表示するという態様がある。
【００３２】
また、前記視聴統計情報は、前記コメント情報を基にして作成されるコメントに対する回答や番組理解補助のための番組補完情報を含んでいるという態様がある。番組補完情報を視聴端末装置側で表示して参考にすれば、番組に対する意見や疑問点の把握が容易となり、視聴環境をさらに豊かなものにすることが可能となる。
【発明の効果】
【００３３】
本発明によれば、どのシーンが面白いとか悲しいなどの視聴感情、ユーザの疑問・興味・関心などが含まれる視聴統計情報を視聴端末装置からサーバ装置に送ってサーバ装置で収集するとともに、視聴端末装置からの送信要求に応答して視聴統計情報をサーバ装置から視聴端末装置へ送り、視聴の参考にするので、番組に対する視聴者感情を取り入れた、より豊かで高度な視聴環境を実現することができる。また、ユーザ負担を増大させることなく、注目度の高い番組箇所の捕捉が可能となる。また、予想外の展開に対する意見交換が容易になるとともに、再生中にその意見をリアルタイムに表示でき、番組共有の臨場感がもてるようになる。また、上記の意見が随時更新可能になり、繰り返し再生しても楽しめる。
【発明を実施するための最良の形態】
【００３４】
以下、本発明にかかわる参加型番組共有システムの実施の形態を図面を用いて詳細に説明する。本発明が適用される実施の形態の説明に入る前に、発明の基礎になる構成について説明する。
【００３５】
（発明の基礎になる構成）
図９は本発明の基礎になる参加型番組共有システムの構成を示すブロック図である。図９において、Ｅ１は視聴端末装置（音声・映像出力装置）、Ｅ３はサーバ装置、４０は視聴端末装置Ｅ１とサーバ装置Ｅ３を接続するネットワークである。ネットワーク４０には、視聴端末装置Ｅ１が複数接続されているものとする。
【００３６】
視聴端末装置Ｅ１は、放送受信部１１、表示部１２、入力処理部１３、ネットワーク部（クライアント側）１４および表示動作決定部１５を備えている。サーバ装置Ｅ３は、ネットワーク部（サーバ側）３１、解析部３２および蓄積部３３を備えている。
【００３７】
まず、視聴端末装置Ｅ１の構成について説明する。
【００３８】
放送番組を受信する放送受信部１１は表示部１２に接続されている。表示部１２は、放送受信部１１が受信した放送番組を表示し、また、サーバ装置Ｅ３からネットワーク４０経由で取得した視聴統計情報を表示するものとして構成されている（図１０、図１１参照）。
【００３９】
入力処理部１３は、番組視聴にかかわる視聴情報（図１０参照）を取り込み、ネットワーク部１４へ転送するものとして構成されている。視聴情報は、現在時刻、変更前チャンネル番号、変更後チャンネル番号、放送地域、電子番組表から得られる番組ＩＤなどで構成される。
【００４０】
ネットワーク４０に接続されるネットワーク部１４は、入力処理部１３からの視聴情報をネットワーク４０へ送信するとともに、サーバ装置Ｅ３からネットワーク４０を介して受信した視聴統計情報を表示動作決定部１５へ転送するものとして構成されている。
【００４１】
表示動作決定部１５は、ネットワーク部１４と表示部１２との間に介在され、放送視聴時に視聴統計情報の送信要求をネットワーク部１４（サーバ装置Ｅ３）へ発行するとともに、ネットワーク部１４を介してサーバ装置Ｅ３から転送されてくる視聴統計情報を表示部１２へ転送するように構成されている。表示動作決定部１５は、定期的あるいはユーザ操作による指示によってサーバ装置Ｅ３に視聴統計情報の送信要求を発行するように構成されている。
【００４２】
次に、サーバ装置Ｅ３の構成について説明する。
【００４３】
サーバ装置Ｅ３におけるネットワーク部３１は、ネットワーク４０を介して送信されてくる視聴情報を受信し、解析部３２に転送するとともに、解析部３２から送られてくる視聴統計情報をネットワーク４０へ送信するように構成されている。
【００４４】
解析部３２は、ネットワーク部３１から転送されてくる視聴情報を解析して視聴統計情報を生成し、蓄積部３３へ転送するとともに、ネットワーク４０を介しての視聴端末装置Ｅ１からの視聴統計情報の送信要求に対して、蓄積部３３から対応する視聴統計情報を読み出し、ネットワーク部３１に出力するように構成されている。
【００４５】
蓄積部３３は、解析部３２によって生成された視聴統計情報を蓄積し、要求に応じて取り出すことが可能である。
【００４６】
図１０は視聴端末装置Ｅ１とサーバ装置Ｅ３との間でネットワーク４０を介してやり取りされる視聴情報と視聴統計情報の一例を示す。視聴情報は、現在時刻、変更前チャンネル番号、変更後チャンネル番号、放送地域、電子番組表から得られる番組ＩＤから構成される。なお、電源ＯＮと電源ＯＦＦは、それぞれ、変更前チャンネル番号をＮｕｌｌにすることで表し、変更後チャンネル番号をＮｕｌｌにすることで表すことが可能である。
【００４７】
視聴統計情報は、ネットワーク４０に接続された複数の視聴端末装置Ｅ１から送信されてくるすべての視聴情報を基に計算されたチャンネル毎の現在の視聴率、過去の視聴率の履歴からなる。
【００４８】
放送中のチャンネル毎に視聴数カウンタを用意し、視聴情報の変更前チャンネル番号にあるチャンネルの視聴数カウンタを１減らし、変更後チャンネル番号にあるチャンネルの視聴数を１増やすようにすれば、チャンネル毎の視聴数が計算できる。さらに未視聴数カウンタを用意し、変更前チャンネル番号がＮｕｌｌの場合は未視聴数カウンタを１減らし、変更後チャンネル番号がＮｕｌｌの場合は未視聴数カウンタを１増やすようにすれば、各チャンネルの視聴数をすべてのチャンネルの視聴数と未視聴数の和で割ることにより、チャンネル毎の視聴率を計算できる。なお、未視聴数カウンタを使用しなければ、視聴率は視聴占有率になる。
【００４９】
図１１は、視聴端末装置Ｅ１において、受信した視聴統計情報を表示した画面の例である。複数チャンネル分の子画面と、それぞれのチャンネルでの視聴率がメインの表示領域の周囲に表示されている。
【００５０】
この発明の基礎になる構成の参加型番組共有システムにおいては、コメント情報が取り扱われておらず、どのシーンが面白いとか悲しいなどの視聴者感情を取り入れた豊かな視聴環境は実現できないものとなっている。
【００５１】
以下に本発明の実施の形態にかかわる参加型番組共有システム（視聴端末装置、サーバ装置）について説明する。
【００５２】
（実施の形態１）
図１は本発明の実施の形態１における参加型番組共有システムの構成を示すブロック図である。本実施の形態は、図９のシステム構成に別形態の視聴端末装置（音声・映像記録再生装置）Ｅ２を加えたものとなっている。また、視聴端末装置（音声・映像出力装置）Ｅ１は、入力処理部１３がコメント情報を取り込んでネットワーク部１４に送り出す機能を有するものとして構成されている。
【００５３】
視聴端末装置（音声・映像記録再生装置）Ｅ２は、放送受信部２１、表示部２２、入力処理部２３、ネットワーク部２４、表示動作決定部２５、記録部２６および再生制御部２７から構成されている。
【００５４】
入力処理部２３は、番組視聴にかかわる視聴情報、操作情報およびコメント情報（図２参照）を取り込み、ネットワーク部２４へ転送するものとして構成されている。操作情報としては、特殊再生が行われたときの特殊再生内容、番組中での特殊再生区間、番組消去が行われたときの未再生区間情報、部分削除が行われたときの削除区間情報、番組削除を禁止する番組プロテクトが行われたときの情報、プレイリスト点が登録されたときの番組の該当箇所、ダビング操作、番組予約録画、番組再生、編集などから構成されている。
【００５５】
ネットワーク４０に接続されるネットワーク部２４は、入力処理部２３からの視聴情報、操作情報、コメント情報をネットワーク４０へ送信するとともに、サーバ装置Ｅ３からネットワーク４０を介して受信した視聴統計情報を表示動作決定部２５へ転送するものとして構成されている。
【００５６】
表示動作決定部２５は、ネットワーク部２４と再生制御部２７との間に介在され、放送視聴時または録画番組の再生時に視聴統計情報の送信要求をネットワーク部２４（サーバ装置Ｅ３）へ発行するとともに、ネットワーク部２４を介してサーバ装置Ｅ３から転送されてくる視聴統計情報を表示部２２へ転送するように構成されている。表示動作決定部２５は、定期的あるいはユーザ操作による指示によってサーバ装置Ｅ３に視聴統計情報の送信要求を発行するように構成されている。
【００５７】
記録部２６は、放送受信部２１から受信した番組情報を蓄積し、タイムシフトにより再生が可能に構成されている。
【００５８】
再生制御部２７は、記録部２６に蓄積した番組情報を再生し、ネットワーク４０経由でサーバ装置Ｅ３から受信した情報を制御して表示動作決定部２５へ転送するように構成されている。
【００５９】
サーバ装置Ｅ３は、ネットワーク部３１を持ち、視聴端末装置Ｅ１、視聴端末装置Ｅ２から送信されたデータを解析部３２にて解析して、視聴統計情報を蓄積部３３へ格納することが可能であり、視聴端末装置Ｅ１、視聴端末装置Ｅ２から要求された場合に視聴統計情報を送信することが可能である。
【００６０】
図２は視聴情報、録画番組にかかわる操作情報、コメント情報の構成図である。
【００６１】
視聴情報は、視聴開始時刻、視聴停止時刻、チャンネル番号、放送地域、番組ＩＤからなり、視聴端末装置Ｅ１において番組視聴時に、ユーザ操作を基に入力処理部１３により抽出される。
【００６２】
録画番組にかかわる操作情報は、再生区間、特殊再生内容、特殊再生区間、部分削除区間、番組プロテクト、プレイリスト点登録、ダビング情報、番組ＩＤからなり、視聴端末装置Ｅ２において番組再生、編集、ダビングなどの録画番組操作時に、ユーザ操作を基に入力処理部２３により抽出される。
【００６３】
コメント情報は、ユーザにより作成されるもので、番組に対するコメント（意見）、該当時刻から構成される。
【００６４】
これら視聴情報、録画番組にかかわる操作情報、コメント情報は、視聴端末装置Ｅ１，Ｅ２からサーバ装置Ｅ３へ送信される。
【００６５】
図３は視聴統計情報の構成図である。視聴統計情報は、番組ＩＤ、放送地域、番組開始・終了時刻、チャンネル別選局数、番組注目度、シーン情報、番組補完情報からなる。視聴統計情報は、視聴端末装置Ｅ１，Ｅ２からサーバ装置Ｅ３へ送信された視聴情報、録画番組にかかわる操作情報、コメント情報を基に、サーバ装置Ｅ３の解析部３２が解析を行った結果得られるものである。
【００６６】
視聴統計情報の番組ＩＤ、放送地域、番組開始・終了時刻、チャンネル別選局数、番組注目度は、視聴時に視聴端末装置Ｅ１から送信された視聴情報、コメント情報を基に解析部３２にて抽出される。視聴統計情報を視聴端末装置Ｅ１へ送信すると、視聴端末装置Ｅ１の表示部１２に情報チャンネル別選局数、番組注目度を視聴番組に合わせて表示することができる。
【００６７】
シーン情報については、視聴時に視聴端末装置Ｅ１から送信されてくる視聴情報、コメント情報を基に、解析部３２にて抽出、判定される。録画番組の再生時に視聴端末装置Ｅ２から送信されてくる操作情報とコメント情報を基に、解析部３２にて上記の視聴時に作成されたシーン情報を更新することが可能である。
【００６８】
録画番組補完情報は、視聴端末装置Ｅ１から送信されてくるコメント情報を基に、コメントの回答や番組の理解を深めるような情報である。録画番組の再生時に、視聴端末装置Ｅ２から送信されてくるコメント情報を基に、上記視聴時に作成された録画番組補完情報を更新することが可能である。この機能により、スポーツなどで無名の選手が活躍した場合に、ユーザからの「その選手の情報を知りたい」などコメントがあれば、録画番組補完情報を作成する。
【００６９】
図４は視聴端末装置Ｅ２における録画番組の構成図を示す。番組管理情報は、録画の番組データに対して、特殊再生を行うための管理情報や、ＣＭ区間、番組の盛り上がり点（ハイライト点）の箇所を示す管理情報からなる。視聴端末装置Ｅ２において単体で、視聴番組を記録した場合に作成されるという態様がある。視聴統計情報Ａは、視聴端末装置Ｅ２において該当番組を再生する際にサーバ装置Ｅ３から受信した情報である。この視聴統計情報を受信することにより、特定シーン、コメント、番組補完情報と、その番組における箇所を特定でき、再生に役立てることができる。
【００７０】
なお、図１のシステム構成において、視聴端末装置（音声・映像出力装置）Ｅ１を削除して、視聴端末装置（音声・映像記録再生装置）Ｅ２とサーバ装置Ｅ３のみで構成することも可能である。
【００７１】
（実施の形態２）
本発明の実施の形態２の参加型番組共有システムは、同一番組について、視聴統計情報を２つ提供するものである。本実施の形態において、システム構成、ユーザ操作等は、実施の形態１の場合の図１〜図３と同等である。図５は実施の形態２における視聴端末装置Ｅ２での録画番組の構成図を示す。
【００７２】
視聴統計情報Ａ１，Ａ２は図４の視聴統計情報Ａと同等である。視聴情報Ａ１，Ａ２は、それぞれ視聴の観点が異なる視点で解析部３２にて作成する。
【００７３】
ここで視聴情報Ａ１を第１の観点、視聴統計情報Ａ２を第２の観点の主観として作成されたと仮定する。管理情報Ｂは図４のものと同等である。番組データＣは図４のものと同等である。Ｃ１は第１の観点の主観での見所箇所、Ｃ２は第２の観点の主観での見所箇所である。番組再生時において、視聴端末装置Ｅ２は視聴統計情報Ａ１，Ａ２の２つを受信し、ユーザが好みに応じていずれかを選択することにより、番組本編は改編することなくマルチストリーリのような視聴方法が可能になる。スポーツ番組等では同一番組に対してユーザが１つのチームの観点で視聴することが多い。こういった場合に、２つの視聴統計情報をサーバ装置Ｅ３にて提供する。これにより、視聴環境がよりダイナミックでより豊かなものになる。感情移入が増大し、番組を楽しむ度合いが著しく向上する。
【００７４】
（実施の形態３）
図６は本発明の実施の形態３における参加型番組共有システムの構成を示すブロック図であり、これは図９において入力処理部１３にコメント情報の機能を追加したものに相当する。入力処理部１３は、ユーザからの選局、電源ＯＮ／ＯＦＦなどの操作に加えて、番組に対するコメント情報をネットワーク部１４へ送信することが可能である。解析部３２は、ネットワーク部３１から受信した複数の視聴端末装置Ｅ１からの視聴情報に加えてコメント情報を基にして、視聴統計情報を生成することが可能である。
【００７５】
図７は実施の形態３における視聴統計情報の構成図である。これは、図１０の視聴統計情報に加えて視聴端末装置Ｅ１から送信されたコメント情報を追加したものに相当する。
【００７６】
図８は視聴端末装置Ｅ１において、受信した視聴統計情報を表示した画面の例である。各チャンネル毎の視聴率の変化とともに、コメント情報が表示されている。
【００７７】
録画再生機能はないが、それでも従来技術に比べて視聴環境を充分に豊かなものにすることができる。
【産業上の利用可能性】
【００７８】
本発明の技術は、操作情報を含む視聴履歴だけなくユーザコメントを収集しているので、多くのユーザが視聴した注目度の高い番組箇所のみならず、興味をもったり感動したりするなどの感想を含めて視聴したい領域を把握することが可能になり、さらに再生中にコメント情報がリアルタイムに表示され番組の臨場感をもてるとともに、情報が随時更新可能であり、同一番組を繰り返し再生したときでも楽しめる等々の効果があり、参加型番組共有システムとして大いに有用である。
【図面の簡単な説明】
【００７９】
【図１】本発明の実施の形態１における参加型番組共有システムの構成を示すブロック図
【図２】本発明の実施の形態１における視聴情報、録画番組にかかわる操作情報、コメント情報の構成図
【図３】本発明の実施の形態１における視聴統計情報の構成図
【図４】本発明の実施の形態１における第２の視聴端末装置（音声・映像記録再生装置）での録画番組の構成図
【図５】本発明の実施の形態２における第２の視聴端末装置（音声・映像記録再生装置）での録画番組の構成図
【図６】本発明の実施の形態３における参加型番組共有システムの構成を示すブロック図
【図７】本発明の実施の形態３における視聴統計情報の構成図
【図８】本発明の実施の形態３における視聴統計情報を表示した画面の例
【図９】本発明の基礎になる構成の参加型番組共有システムを示すブロック図
【図１０】本発明の基礎になる構成における視聴情報と視聴統計情報の構成図
【図１１】本発明の基礎になる構成における視聴統計情報を表示した画面の例
【符号の説明】
【００８０】
Ｅ１  視聴端末装置（音声・映像出力装置）
Ｅ２  視聴端末装置（音声・映像記録再生装置）
Ｅ３  サーバ装置
１１  放送受信部
１２  表示部
１３  入力処理部
１４  ネットワーク部
１５  表示動作決定部
２１  放送受信部
２２  表示部
２３  入力処理部
２４  ネットワーク部
２５  表示動作決定部
２６  記録部
２７  再生制御部
３１  ネットワーク部
３２  解析部
３３  蓄積部
４０  ネットワーク
【図１】
2010206447.tif 000003
【図２】
2010206447.tif 000004
【図３】
2010206447.tif 000005
【図４】
2010206447.tif 000006
【図５】
2010206447.tif 000007
【図６】
2010206447.tif 000008
【図７】
2010206447.tif 000009
【図８】
2010206447.tif 000010
【図９】
2010206447.tif 000011
【図１０】
2010206447.tif 000012
【図１１】
2010206447.tif 000013